(57)【要約】【課題】高所作業用安全帯に用いられているスライド式又は折り返し式バックルは、腰部を周回し、余長となったベルト先端を挿入するものであるが、使用しているとベルトの耳部がバックル本体挿入部に擦れ摩耗して強度低下を招き、万が一墜落した際に、ベルトが切れて重大事故につながることが考えられるものであった。また、従来の連結式のバックルは、部品点数が多くコスト高なものであった。【解決手段】対称形状の金属板を重合したソケット部とタング部から成る連結式のワンタッチバックルであり、解除方法を三方向より動作させないとタングプレートを解除できないようにした三重安全装置とし、連結操作が簡単であると共に、ベルト耳部が擦れることがないので長期の使用に耐える。また、対称形状として抜き型および曲げ型を少なくし、コストを下げたものである。【選択図】        図１
2004194823.tif 000002
【特許請求の範囲】
【請求項１】
本体１基端部にベルト挿通孔21を設け、先端部にバネ３により常時中央方向へ回動力が附勢され、係合爪41に係合突起42を有するロック部材４を対称に一対設けたソケット部２と、
タングプレート６の基端部にベルト挿通孔61を設け、中央部にバネ７を配した当接材８を摺動自在に設け、先端部に係合部62を一対設け、該係合部62に重合片部63を設けたタング部９とから成り、ソケット部２とタング部９のタングプレート６の係合を解く際には、タングプレート６を係合状態よりもさらに押し込み、重合片部63との係合を解いた上で、ソケット部２両側へ突出したロック部材４の延長部が形成する両方の操作片43を外方向より内方向へ回動し、係合爪41の係合突起42との係合を解きタングプレート６の開放を行う構成を特徴とする安全帯用バックル。
【発明の詳細な説明】
【０００１】
【発明の属する技術分野】
本願は、高所作業者が墜落防止のために腰部に装着する安全帯のバックルに関するものであり、特に連結式のバックルに関するものである。
【０００２】
【従来の技術】
安全帯においても装着性の問題より、自動車のシートベルトバックルと同様な連結式のワンタッチバックルが普及しつつある。
自動車のバックルの場合には、衝突時の高衝撃荷重に耐えてシートの人体を確実に固定でき、また、非常時には迅速に解除が出来ることが要求される。
対して、安全帯の場合には、墜落時の高衝撃荷重に耐え得ることはもちろんのこと、作業時にバックルと何等かの接触があっても連結が解除されない機構、つまり安全装置が必要となる。
安全装置が必要な分、その解除はそんなに迅速さを求められないものであるが、衝撃荷重に対する高耐力は高度のものが要求されるものである。
そのような状況の中で、高所作業用安全帯に用いられる連結式のバックルとして、本出願人が特開２００２−３１３によって開示したものがある。
これは、所期の目的を達成し得たものであり、ワンタッチバックルと言い簡単な操作によって連結が可能なものであり、この構造を用いたものを商品化している。
【０００３】
【発明が解決しようとする課題】
前記した従来のワンタッチバックルは、ソケット部とタング部の連結で成り、ソケット内のタング係合構造に種々のものがあるが、タングプレートの先端部をコ字状に折曲し、互いに対向する側壁に小さな係合口（ロック部材の板厚程度の係合口）を設け、本体には、その係合口に対応するように、ロック部材を一対対称に設け、二個所の係合部により、捻れに強く、高強度が得られるワンタッチバックルであった。
しかし、部品点数が多く、また、曲げ型を多数用意しなければならずコスト高なものであった。
【０００４】
【課題を解決するための手段】
よって本願では、ソケット部およびタング部の形状を対称にし、抜き型および曲げ型を少なくしてコストを下げるようにしたものである。
具体的には、対称形状の金属板を重合した本体基端部にベルト挿通孔を設け、先端部にバネにより常時中央方向へ回動力が附勢され、係合爪に係合突起を有するロック部材を対称に一対設けたソケット部と、
対称形状の金属板を重合したタングプレートの基端部にベルト挿通孔を設け、中央部にバネを配した当接材を摺動自在に設け、先端部に係合部を一対設け、該係合部に重合片部を設けたタング部とから成り、ソケット部とタング部のタングプレートの係合を解く際には、タングプレートを係合状態よりもさらに押し込み、重合片部との係合を解いた上で、ソケット部両側へ突出したロック部材の延長部が形成する両方の操作片を外方向より内方向へ回動し、係合爪の係合突起との係合を解きタングプレートの開放を行う構成である。
【０００５】
【実施例】
本願の実施例を詳記すると、
ベルトの一端部に固定したソケット部２と、他端部に設けソケット部２に挿入係合するタング部９より成り、対称形状の金属板を重合した本体１基端部にベルト挿通孔21を設け、先端部にバネ３により常時中央方向へ回動力が附勢され、係合突起42を有する係合爪41を回動自在に軸支して成るロック部材４を対称に一対設けたソケット部２と、
対称形状の金属板を重合したタングプレート６の基端部にベルト挿通孔61を設け、中央部にバネ７を配した当接材８を摺動自在に設け、先端部に係合部62を一対設け、該係合部62に重合片部63を設けたタング部９とから成り、ソケット部２とタング部９のタングプレート６の係合を解く際には、タングプレート６を係合状態よりもさらに押し込み、重合片部63との係合を解いた上で、ソケット部２両側へ突出したロック部材４の延長部が形成する両方の操作片43を外方向より内方向へ回動し、係合爪41の係合突起42との係合を解きタングプレート６の開放を行う構造を有している。
【０００６】
本願バックルの当接材８は、連結状態にすれば、凹部22に当接材８が嵌合し、上下の移動を防止すると共に、バネ７によりタングプレート６が引出される方向に力が働くので、常時係合爪41と係合部62との当接状態が保持される構造を有している。
【０００７】
また、本願バックルの特徴とするところは、ソケット部およびタング部を（図面では上下）対称形状の金属板を重合することにより、抜き型および曲げ型が少なくなり、コストを低減することが出来るものである。
なお、中板はアルミ板、上下板は鋼板で製作するものである。これは、一体構造であれば加工が困難であるが、分割することにより、板厚が薄く加工が容易となるものである。
【０００８】
本願ワンタッチバックルを使用するには、タング部９のプレート６をプレート挿入口５より押し入れるだけでよく、挿入すれば当接材８が凹部22に当接すると共に、ロック部材４が回動し、係合爪41の係合突起42がタングプレート６の突出部62の重合片部63に係合するものであり、操作片43を外方向より内方向へ回動しようとしても重合片部63が係合突起42に当接しているため、外れることはない。
この係合状態を解除するには、タングプレート６を当接材８の弾力に抗して係合突起42の長さ以上に押し込み、係合突起42と重合片部63の係合が解かれた位置で、操作片43を内側へ押さえれば、タングプレート６の抜脱が可能となるものである。
【０００９】
【発明の効果】
以上のように本願は、対称形状の金属板を重合したため従来品に比べ、抜き型および曲げ型が大幅に少なくなり、コストを下げることができる。
また、連結式バックルは、ベルトが擦れ、摩耗することが少ないため長期の使用に耐えることができる。
また、従来効果であった、連結が容易で、連結中に予期せぬ離脱がなく、しかも連結解除時にも簡単な操作で分離ができること、また、操作方向が異なる二重安全装置により、連結中にはいかなる動作によっても無意識のうちに分離することがない。これは解除時には腰部に締着しているベルトをさらに締める方向へ操作する必要性を持たせることにより、解除をするという、意識を持った動作でないと解除が不可能な設計思想は本願にも採用している。
【図面の簡単な説明】
【図１】本願バックルの連結状態正面図。
【図２】図１にベルトを挿通したところの底面図。
【図３】本願バックルの分離状態正面図。
【図４】図３の中央横断面図。
【図５】本願バックルのソケット部の上板を外し、タングプレートを押し込みロック部材を回動したところの正面図。
【符号の説明】
１  本体
２  ソケット部
３  バネ
４  ロック部材
５  挿入口
６  タングプレート
７  バネ
８  当接材
９  タング部
21  ベルト挿通孔
22  凹部
41  係合爪
42  係合突起
43  操作片
61  ベルト挿通孔
62  係合部
63  重合片部
【図１】
2004194823.tif 000003
【図２】
2004194823.tif 000004
【図３】
2004194823.tif 000005
【図４】
2004194823.tif 000006
【図５】
2004194823.tif 000007